(57)【特許請求の範囲】
【請求項１】
フィルムにデータを写し込むための光源を構成するランプと、
前記ランプの光をマスクしてデータをフィルムに照射させる透過型の液晶表示体と、
複数のスイッチ要素から成り、接続状態の前記複数のスイッチ要素が選択的に切断されて複数ビットの設定信号を生成するスイッチ回路パターンを有し、前記複数ビットの設定信号により、電源を構成する電池の前記ランプへの印加電圧を可変可能な所定の値に設定すると共に、前記ランプへの印加電圧を一定にするランプ用定電圧手段と、
前記電池の前記液晶表示体への印加電圧を一定にする液晶用定電圧手段と、
前記液晶表示体のデータを制御すると共に、前記ランプの点灯時間を制御する制御手段と、
装置の前記液晶表示体が取り付けられた側の面に設けられ、前記スイッチ回路パターンの複数のスイッチ要素に対応する複数のテスト用スイッチ端子と、を備え、
前記ランプ用定電圧手段は、生成する前記複数ビットの設定信号が、前記複数のテスト用スイッチ端子に前記複数ビットの設定信号に対応する複数ビットのテスト信号を入力して測定された全開状態の前記液晶表示体を透過するランプ光の輝度が所定の輝度値に最も近い値となるテスト信号と同一の信号となるように、前記スイッチ回路パターンの複数のスイッチ要素が選択的に切断されていることを特徴とするカメラのデータ写込み装置。
【請求項２】
前記制御手段は、前記ランプの点灯時間を可変可能に構成されていることを特徴とする請求項１に記載のカメラのデータ写込み装置。
【発明の詳細な説明】
【０００１】
【発明の属する技術分野】
本発明は、カメラに組み込まれ、撮影されたフィルムに日付けや時刻等の撮影データを写し込むカメラのデータ写込み装置に関するものである。
【０００２】
【従来の技術】
従来、この種のデータ写込み装置として、例えば特許第２５１９９５７号公報に記載のものが知られている。このデータ写込み装置は、カメラの裏蓋部分に露出するモニタ用液晶表示体と、フィルムの近傍に配設され撮影データを表示する透過型の写込み用液晶表示体と、光を写込み用液晶表示体に透過させてフィルムにデータを写し込むランプとを備えており、主に、カメラ本体側から供給されるモニタ用液晶表示体、写込み用液晶表示体およびランプ用の電源により、被写体の撮影に連動して、ランプを所定時間点灯し、写込み用液晶表示体をマスクとして、これに表示した撮影データをフィルムに写し込むようにしている。
【０００３】
この場合、ランプとしてタングステンランプやＬＥＤランプが用いられるが、これらのランプと、モニタ用液晶表示体および写込み用液晶表示体の定格電圧が近似していること、および電池の電圧降下を考慮して、この従来技術では、モニタ用液晶表示体、写込み用液晶表示体およびランプへの印加電圧を一定にする定電圧回路が組み込まれている。これにより、電池が消耗しても安定した電圧で、モニタ用液晶表示体、写込み用液晶表示体およびランプを駆動することができるようになっている。
【０００４】
【発明が解決しようとする課題】
ところで、液晶表示体、特に写込み用液晶表示体ではマスク性能の良否が写し込んだデータの良否（濃淡）に影響するため、ランプに比して、電圧の設定許容範囲が極めて狭い。したがって、定電圧回路により設定される電圧は、写込み用液晶表示体の許容電圧に合わせることとなる。このため、従来のデータ写込み装置では、定電圧回路の設定電圧に合うようにランプを選択する必要があった。ランプは製品としてのばらつきが大きいため、設定電圧でフィルム面に所定の輝度を得るためには、製品としては不良品ではないが、データ写込み装置には適用できないものが頻発することになる。特に、ランプの選択にあっては、フィルム面での所望の輝度を見越した単体としての照度による選択と、モジュールとしてデータ写込み装置に組み込んだ後におけるフィルム面での輝度による選択との、２段階の選別が必要となり、この選別作業に手間がかかると共に、ランプの歩留まりが悪化する問題があった。
特に、フィルム面における輝度は、写込みパネルの透過率やランプの実装形態などのランプ以外の要因でも影響を受けるため、ランプをデータ写込み装置に組み込んだ状態で所望の輝度を得るためには、自ずとランプの選択範囲が狭くなる。
【０００５】
本発明は、液晶表示体のマスク性能を良好に保持しつつ、ランプの選択範囲を広くすることができるカメラのデータ写込み装置を提供することをその目的としている。
【０００６】
【課題を解決するための手段】
本発明のカメラのデータ写込み装置は、フィルムにデータを写し込むための光源を構成するランプと、ランプの光をマスクしてデータをフィルムに照射させる透過型の液晶表示体と、複数のスイッチ要素から成り、接続状態の複数のスイッチ要素が選択的に切断されて複数ビットの設定信号を生成するスイッチ回路パターンを有し、複数ビットの設定信号により、電源を構成する電池のランプへの印加電圧を可変可能な所定の値に設定すると共に、ランプへの印加電圧を一定にするランプ用定電圧手段と、電池の液晶表示体への印加電圧を一定にする液晶用定電圧手段と、液晶表示体のデータを制御すると共に、ランプの点灯時間を制御する制御手段と、装置の液晶表示体が取り付けられた側の面に設けられ、スイッチ回路パターンの複数のスイッチ要素に対応する複数のテスト用スイッチ端子と、を備え、ランプ用定電圧手段は、生成する複数ビットの設定信号が、複数のテスト用スイッチ端子に複数ビットの設定信号に対応する複数ビットのテスト信号を入力して測定された全開状態の液晶表示体を透過するランプ光の輝度が所定の輝度値に最も近い値となるテスト信号と同一の信号となるように、スイッチ回路パターンの複数のスイッチ要素が選択的に切断されていることを特徴とする。
【０００７】
この構成によれば、制御手段によりランプを所定時間点灯させると、ランプの光は、液晶表示体をマスクとしてこれを透過し、液晶表示体に表示されたデータをフィルムに写し込む。この場合、電池のランプへの印加電圧を一定にするランプ用定電圧手段と、電池の液晶表示体への印加電圧を一定にする液晶用定電圧手段とを備えているため、液晶用定電圧手段の設定電圧を液晶表示体に合わせて設定し、ランプ用定電圧手段の設定電圧をランプに合わせて設定することができる。
より具体的には、複数のテスト用スイッチ端子を利用して、液晶表示体側から、ランプへの印加電圧とランプの輝度との関係を、スイッチ回路パターンを切断調整する前に、簡単にテストすることができる。そして、スイッチ回路パターンの複数のスイッチ要素を選択的に切断することで、ランプへの印加電圧を自在に変更することができ、ランプのフィルム面における輝度を調整することができる。そのため、ランプをデータ写込み装置に組み込んだ後においても、ランプの照度、ひいてはフィルム面の輝度を調整することができ、ランプの選択範囲を広げることができる。したがって、照度に関するランプの選別作業を単純化することができると共に、ランプの歩留まりを良好なものとすることができる。
換言すれば、液晶表示体が良好なマスク性能を発揮するように、液晶表示体に合わせて液晶用定電圧手段の電圧を設定することができ、またランプがフィルム面において所望の輝度を発揮するように、ランプに合わせてランプ用定電圧手段の電圧を設定することができる。これにより、電池の電圧降下などにかかわらず、液晶表示体のマスク性能を良好なものとすることができると共に、ランプの製造上のばらつきを吸収することができる。
【００１０】
これらの場合、制御手段は、ランプの点灯時間を可変可能に構成されていることが、好ましい。
【００１１】
この構成によれば、カメラ自体に装填されるフィルムの感度に合わせて、ランプの点灯時間、すなわち露光時間を調整することができる。また、フィルムの感度と連動させない場合（低価格カメラ）でも、その初期設定において、最適な写込み時間に固定することにより、ランプのフィルム面における輝度の過不足を、露光時間で補うことができる。
【００１９】
【発明の実施の形態】
以下、添付の図面を参照して、本発明の一実施形態に係るカメラのデータ写込み装置について説明する。このデータ写込み装置は、カメラ本体の裏蓋に組み込まれ、外部に対し日付け、時刻等を表示すると共に、内部のフィルムに日付け、時刻等（データ）を裏側から写し込むものである。
【００２０】
図１はデータ写込み装置の外観を表しており、同図に示すように、このデータ写込み装置１は、表ケース２ａと裏ケース２ｂとから成るケース２の内部に、写込み用ＬＣＤ（写込み用液晶表示体）３、モニタ用ＬＣＤ（モニタ用液晶表示体）４、ランプ５および回路基板６を備えて、構成されている。表ケース２ａの外面には、写込み用ＬＣＤ３がフィルムＦに面するように露出し（図３参照）、裏ケース２ｂの外面には、モニタ用ＬＣＤ４がカメラ本体Ｃの裏蓋Ｃａを貫通するようにして外部に露出している。
【００２１】
図２および図３に示すように、モニタ用ＬＣＤ４は、裏蓋Ｃａの表面に露出して使用者に日付け、時刻等を表示するものであり、日付け等を入力設定可能に構成されている。モニタ用ＬＣＤ４は、裏ケース２ｂに形成したモニタ用開口７に内側から嵌合した状態で、回路基板６との間に介在させたモニタ用コネクタゴム８で押圧固定されている。また、モニタ用ＬＣＤ４の外側にはカバーガラス９が装着されている。モニタ用ＬＣＤ４は、モニタ用コネクタゴム８を介して回路基板６に接続されており、後述する電池２１を電源として回路基板６により駆動される。
【００２２】
写込み用ＬＣＤ３は、対面するフィルムＦに日付け、時刻等を写し込む際にマスクを構成するものであり、日付け、時刻等を透明部分で表示する透過型のものである。写込み用ＬＣＤ３は、表ケース２ａに形成した写込み用開口１０に内側から嵌合した状態で、回路基板６との間に介在させた一対の写込み用コネクタゴム１１，１１で押圧固定されている。
【００２３】
写込み用ＬＣＤ３は、この一対の写込み用コネクタゴム１１，１１を介して回路基板６に接続されており、後述する電池２１を電源として回路基板６により駆動される。この場合、写込み用ＬＣＤ３およびモニタ用ＬＣＤ４には、同一のデータが入力されるため（詳細は後述する）、両ＬＣＤ３，４は同一の日付け、時刻等を表示する。また、写込み用ＬＣＤ３は、通常３５ｍｍのフィルムＦにデータを写し込むため、モニタ用ＬＣＤ４に比して十分にコンパクトに構成されている。
【００２４】
ランプ５は、写込み用ＬＣＤ３をマスクとして、これに表示した日付け、時刻等をフィルムＦに露光（写し込む）するものであり、タングステンランプやＬＥＤランプ等で構成されている。ランプ５は、ケース２の上部に配設されている写込み用ＬＣＤ３対し、ケース２の上部にこれと同一光軸上に配設されている。ケース２の内部には、回路基板６を貫通してランプ５から写込み用ＬＣＤ３に至る光路１２が形成され、光路１２は上部で直角に屈曲している。そして、この屈曲部分にはミラー１３が配設されている。すなわち、ランプ５の光軸１４は、フィルムＦと平行に延び、ミラー１３で屈曲してフィルムＦに直角に交わっている。
【００２５】
また、光路１２を構成するケース２の内側部分には、フィルムＦにコヒーレントな光を照射すべく、突起状の複数のスリット部１５が形成されている。ランプ５は、回路基板６に接続されており、後述する電池２１を電源として回路基板６により駆動され、所定時間、フィルムＦを露光する。
【００２６】
回路基板６には、図１（ａ）に示すように、モニタ用ＬＣＤ４側の面に、日付け、時刻等を入力設定するための３つのスイッチ端子１６ａ、１６ｂ、１６ｃがプリントされており、このスイッチ端子１６ａ、１６ｂ、１６ｃには、図示しないが、裏蓋Ｃａ側のセットボタンやセレクトボタン等が接触するようになっている。また、回路基板６には、スイッチ端子１６ｃの近傍に位置して、２つの写込み時間調整端子１７ａ、１７ｂが配設されており、この写込み時間調整端子１７ａ、１７ｂをそれぞれハンダで接続するか否かにより、３パターン（３０ｍｓ、４５ｍｓ、６０ｍｓ）の写込み時間が固定的に設定できるようになっている。この写込み時間調整端子１７ａ、１７ｂは、データ写込み装置１を低価格カメラなどのフィルム感度切換が不可能なカメラ本体Ｃに搭載する場合に用い、特定のカメラ本体Ｃにデータ写込み装置１を搭載したときに、これを用いてその時間設定を行う。
【００２７】
また、写込み時間調整端子１７ａ、１７ｂの近傍には、下側からマイナス電源端子１９ａ、写込み時間信号端子１９ｂ、写込み信号端子１９ｃおよびプラス電源端子１９ｄが配設されている。マイナス電源端子１９ａおよびプラス電源端子１９ｄは、カメラ本体Ｃ側の電池（後述する）２１に接続されている。写込み時間信号端子１９には、カメラ本体Ｃのフィルム感度切換信号が入力し、この切換信号により、フィルム感度に対応して写込み時間が可変できるようになっているすなわち、カメラ本体Ｃ側で写込み時間を設定する場合には、この写込み時間信号端子１９が用いられる。また、写込み信号端子１９ｃには、カメラ本体Ｃの写込み指令が入力する。
【００２８】
一方、図１（ｃ）に示すように、回路基板６の写込み用ＬＣＤ３側の面には、ランプ５の印加電圧を調整するための３つの電圧調整端子１８がプリントされている。この電圧調整端子１８も上記の時間調整端子１７ａ，１７ｂと同様に、この各端子をそれぞれハンダで接続するか否かにより、３ビット８パターン（実施形態では、０．０５Ｖピッチで１．７Ｖから２．０５Ｖまで）の印加電圧が設定できるようになっている。なお、ランプ５の照度は、ランプ５への印加電圧の約３乗に比例するため、この電圧調整により、ランプ５の照度を細かく調整することができる。
【００２９】
図４に示すように、回路基板６には、カメラ本体Ｃに搭載されている電池２１を電源として、写込み用ＬＣＤ３、モニタ用ＬＣＤ４およびランプ５の駆動を制御する制御回路２２が組み込まれている。制御回路２２は、電池２１のランプ５への印加電圧を一定にするランプ用定電圧回路２３と、電池２１の写込み用ＬＣＤ３およびモニタ用ＬＣＤ４への印加電圧を一定にする液晶用（ＬＣＤ）定電圧回路２４と、写込み用ＬＣＤ３およびモニタ用ＬＣＤ４の表示データを制御すると共に、ランプ５の点灯時間を制御する写込み制御部時計回路（時計回路）２５とを備えている。
【００３０】
液晶用（ＬＣＤ）定電圧回路２４は、モニタ用ＬＣＤ３および写込み用ＬＣＤ４への印加電圧を設定するための基準電圧ＶＲ２を出力するＬＣＤ基準電源２４１と、基準電圧ＶＲ２に基づいて一定の電圧を生成して（詳細は特許第２５１９９５７号公報参照）モニタ用ＬＣＤ３および写込み用ＬＣＤ４に供給するＬＣＤ駆動電源部２４２を備えている。
【００３１】
時計回路２５は、日付、時刻等を入力設定するスイッチ端子１６ａ、１６ｂ、１６ｃ、写込み信号スイッチ（シャッタ）からの写込み信号を入力する写込み信号端子（図示のＸ端子）１９ｃ、および、２つのスイッチＤ、Ｔから写込み時間調整信号を入力する時間調整端子１７ａ、１７ｂに接続されている。カメラ本体Ｃから写込み信号を入力すると、時計回路２５は、電子時計による日付や時刻等の撮影データをＬＣＤ駆動電源部２４２に出力する。ＬＣＤ駆動電源部２４２は、これらの撮影データをＬＣＤ表示信号に変換し、モニタ用ＬＣＤ３および写込み用ＬＣＤ４に出力する。
【００３２】
ランプ用定電圧回路２３は、ランプ５への印加電圧を設定するための基準電圧ＶＲ１を出力するランプ基準電源２３１と、基準電圧ＶＲ１に等しい印加電圧をランプ５に供給するランプ駆動電源部２３２とを備えている。また、ランプ基準電源２３１は、８パターンの基準電圧ＶＲ１を設定するアナログスイッチＬＲ１、ＬＲ２、ＬＲ３からの電圧設定信号を入力する電圧調整端子１８ａ、１８ｂ、１８ｃに接続され、アナログスイッチＬＲ１、ＬＲ２、ＬＲ３により設定された基準電圧ＶＲ１をランプ駆動電源部２３２に対して出力する。なお、アナログスイッチＬＲ１、ＬＲ２、ＬＲ３による基準電圧ＶＲ１は、このデータ写込み装置１を組み立てた後、その輝度を測定し、輝度が要求される規格に合致するように調整（設定）される。
【００３３】
ランプ駆動電源部２３２は、オペアンプ２３２ａとランプ駆動用トランジスタ２３２ｂを備え、時計回路２５からコントロール信号Ｓが入力されたときに、基準電圧ＶＲ１とランプ５への印加電圧との電位差に基づいて、ランプ駆動用トランジスタ２３２ｂのコレクタ電流を調整し、基準電圧ＶＲ１に等しい印加電圧をランプ５に供給する。
【００３４】
ここで、カメラ本体Ｃから図示のＸ端子を介して写込み信号を入力すると、時計回路２５が、写込み時間調整信号に基づく所定時間だけコントロール信号Ｓを出力し、ランプ用定電圧回路２３のランプ駆動電源部２３２は、設定された基準電圧ＶＲ１に等しい印加電圧をその時間分だけランプ５に供給することになるので、ランプ５は、その時間分だけ点灯することになる。
【００３５】
以上のように、本実施形態によれば、モニタ用ＬＣＤ３および写込み用ＬＣＤ４を、液晶用（ＬＣＤ）定電圧回路２４を介して駆動するようにしているため、特に写込み用ＬＣＤ３のマスク性能を考慮した電圧設定が可能になると共に、これに安定した電圧を印加することができる。したがって、フィルムに対し、安定且つ良好なデータの写込みが可能になる。
【００３６】
また、ランプ５を、ランプ用定電圧回路２３を介して駆動するようにしているため、フィルム面の輝度を考慮し、製品によりばらつきの大きなランプに対し、個々に電圧設定が可能になると共に、これに安定した電圧を印加することができる。これにより、ランプ５のばらつきを吸収することができ、ランプ５の歩留まりを格段に向上させることができる。
【００３７】
また、電圧調整端子１８を介して電圧設定信号を入力することができるため、ランプ５をデータ写込み装置１に組み込んだ後でも、ランプ５の照度を調整することができ、データ写込み装置１自体の歩留まりも向上させることができ、且つデータ写込み装置１毎の輝度のばらつきを少なくすることができる。さらに、時間調整端子１７ａ，１７ｂおよび写込み時間信号端子１９ｂにより、カメラ本体Ｃがフィルム感度切換が可能か否かに拘らず、写込み時間を適切に設定可能な状態で、データ写込み装置１を汎用的に組み込むことができる。
【００３８】
もちろん、データ写込み装置に組み込んだランプが照度不足となる場合でも、この露光時間の調整で、これを充足させることができる。なお、実施形態におけるデータの写込みは、フィルムの裏側からこれを透過させて為される。
【００３９】
次に、図５を参照して、データ写込み装置１の他の実施形態について説明する。図５は、図１（ｃ）に対応するデータ写込み装置１の平面図であり、このデータ写込み装置１には、その表ケース２ａにテスト用のプローブ挿入孔３１が複数個形成されると共に、各プローブ挿入孔３１が臨む回路基板６の各部には、テスト用端子３２がそれぞれプリントされている。この複数のテスト用端子３２は、日付等の入力、写込み時間の調整、ランプ電圧の調整などを、それぞれテストするためのものであり、そのうちの３つは日付等をテスト入力するためのテスト用端子３２であり、且つこの３つのテスト用端子３２はランプ電圧の調整テスト用の端子を兼ねている。また、他の１つのテスト用端子３２は、日付等のテスト入力とランプ電圧の調整との間で、モード切替を行うための端子を構成している。さらに、他の２つのテスト用端子３２は、テスト電源用の端子を構成している。
【００４０】
また、ランプ電圧の調整テストの結果、ランプ電圧の適正（上記の３ビット８パターン）値が確定したときに、これを物理的に設定するための電圧調整端子（スイッチ回路パターン）１８が、表ケース２ａの切欠き部に露出している。電圧調整端子１８は上記の実施形態と同様に、回路基板６にプリントされており、図６に示すように、３つのＵ字状部１８ａ，１８ｂ，１８ｃにより、図４に示す３つのアナログスイッチ（スイッチ要素）ＬＲ１、ＬＲ２、ＬＲ３が構成されている。
【００４１】
この各Ｕ字状部１８ａ，１８ｂ，１８ｃの一方の片には細線部４１が形成され、この部分をドリル（後述する）５８で適宜切断および非切断することで、３つのアナログスイッチＬＲ１、ＬＲ２、ＬＲ３により、８段階（パターン）の設定電圧に対応する８つの設定信号が生成されるようになっている（図８参照）。また、Ｕ字状部１８ａ，１８ｂ，１８ｃの他方の片の先端には半円部４２が形成され、例えば最終的に両ＬＣＤ３，４の欠陥等でデータ写込み装置１が不良品となったときに、切断されたアナログスイッチＬＲ１、ＬＲ２、ＬＲ３を、この部分ではんだ付けにより再度接続し、欠陥部品以外の部品の再利用を可能にしている。
【００４２】
図７は、ランプ基準電源２３１を構成するデジタル回路である。ここでは、製品化された状態でも外部から入力設定可能な３つのスイッチ、すなわち日付モード切り替えスイッチＭ、日付設定スイッチＳ２、Ｓ１（以下、それぞれをテスト用端子Ｍ、Ｓ２、Ｓ１という）を、後述するパターンカットによりその設定値が決定されるアナログスイッチＬＲ３、ＬＲ２、ＬＲ１の代わりにパターンカット前に種々のテスト入力を行う端子として兼用して、選択回路の一方の入力とし、他方にはアナログスイッチＬＲ３、ＬＲ２、ＬＲ１を入力し、テストモード設定のためのテスト用端子ＴＭを選択信号として、いずれかを選択し、その選択結果の３ビットの設定信号を８ビットにデコードして、抵抗Ｒ１からＲ８の接続を決定する。
【００４３】
したがって、このデジタル回路では、テスト用端子Ｍ、Ｓ２、Ｓ１またはアナログスイッチＬＲ３、ＬＲ２、ＬＲ１からの３ビットの設定信号により、選択スイッチＳＳを介して抵抗Ｒ１からＲ８が適宜接続され、出力端子Ｖｏを介してランプ５への印加電圧が８段階で出力される（図８参照）。また、テスト用端子ＴＭの入力を「０」（「Ｌ」）または「１」（「Ｈ」）に切り替えることにより、このデジタル回路をテスト用端子Ｍ、Ｓ２、Ｓ１で駆動するか、アナログスイッチＬＲ３、ＬＲ２、ＬＲ１で駆動するかが、選択される。
【００４４】
次に、テスト方法を含むランプ電圧の設定方法について説明すると共に、これらの方法を実行する組立製造ラインの一部について説明する。図９は、組立製造ラインの一部を示しており、この組立製造ライン５０では、データ写込み装置１を搬送する搬送路５１に沿って、前テストステーション５２、パターンカットステーション５３、後テストステーション５４が配設されている。データ写込み装置１は、写込み用ＬＣＤ３を上にしてトレイ（セット手段）５５に載置され、この状態で、搬送路５１上を適宜搬送され、前テストステーション５２、パターンカットステーション５３および後テストステーション５４の順でこれらに臨む。
【００４５】
前テストステーション５２には、ランプテスト装置５７が配設されており、これに組立を完了したデータ写込み装置１が臨み、所望のランプ輝度に対応するランプ５の電圧調整が行われる。パターンカットステーション５３には、パターンカットのためのドリル５８を有するパターンカット装置５９が配設されており、これにテスト後のデータ写込み装置１が臨み、テスト結果に基づく電圧調整端子（アナログスイッチＬＲ１、ＬＲ２、ＬＲ３）１８のパターンカットが行われる。後テストステーション５４には、前テストステーション５２と同様のランプテスト装置５７が配設されており、これにパターンカット後のデータ写込み装置１が臨み、ランプ輝度の確認が行われる。
【００４６】
なお、テストの結果、パターンカット（図８のｎ＝７）を必要としない場合には、パターンカットを行わないことは、言うまでもない。また、前テストステーション５２では、後述するテストプローブ６１を介してモード切替用のテスト用端子ＴＭに「１」の信号が入力し、テスト用端子Ｍ、Ｓ２、Ｓ１を介して入力する設定信号が利用される。一方、後テストステーション５４では、テストプローブ６１を介してテスト用端子ＴＭに「０」の信号が入力し、アナログスイッチＬＲ１、ＬＲ２、ＬＲ３を介して入力する設定信号が利用される（図８参照）。すなわち、前テストステーション５２では、ＴＭ「１」の信号によりテストモードへの切替えが行われ、日付設定用のテスト用端子Ｓ１およびＳ２がアナログスイッチＬＲ１およびＬＲ２の役割を担い、日付モード切替用のテスト用端子ＭがアナログスイッチＬＲ３の役割を担うことになる。
【００４７】
図９および図１０に示すように、ランプテスト装置５７は、データ写込み装置１の各プローブ挿入孔３１に挿入される複数本のテストプローブ６１と、写込み用ＬＣＤ３に上方から臨むＣＣＤカメラ６２と、これらテストプローブ６１およびＣＣＤカメラ６２などを制御すると共に、設定信号を生成する信号回路などを組み込んだ制御ボックス６３と、ＣＣＤカメラ６２で撮像した画像などを写し出すと共にその輝度を数値表示するモニター６４と、を備えている。また、特に図示しないが、制御ボックス６３には、ＣＣＤカメラ６２で撮像した画像に基づいて、写込み用ＬＣＤ３を透過したランプ光の輝度を検出する検出回路、および所望の輝度を得るためのランプ５への最適な印加電圧を判別する判定回路が組み込まれている。すなわち、ＣＣＤカメラ６２、検出回路および判定回路により、輝度測定手段が、構成されている。
【００４８】
複数本のテストプローブ６１およびＣＣＤカメラ６２は支持プレート６５に組み込まれ、支持プレート６５は昇降装置６６に取り付けられている。昇降装置６６は、テストプローブ６１がプローブ挿入孔３１を介して回路基板６の各端子に接触すると同時に、ＣＣＤカメラ６２の撮像面が、写込み用ＬＣＤ３に対するフィルムの位置と同一になるように、支持プレート６５を介してこれらを下降させる。これにより、複数本のテストプローブ６１のうち、３本のテストプローブ６１は上記のテスト用端子Ｍ、Ｓ２、Ｓ１に接続され、１本のテストプローブ６１は上記のテスト用端子ＴＭに接続される。また、他の２本のテストプローブ６１は、電源入力用のテスト用端子に接続される。
【００４９】
ここで、図１１のフローチャートを参照しながら、パターンカットを含むテスト方法について説明する。この場合、制御ボックス６３の信号回路から８パターン分の設定信号が順に入力するが、図８のｎ＝７のパターンから入力を開始する。先ず、ＴＭ「１」と、Ｍ「１」、Ｓ２「１」およびＳ１「１」とが入力し、このパターンに対応する電圧がランプ５に印加される。同時に、検出回路により、ＣＣＤカメラ６２を介して全開状態の写込み用ＬＣＤ３を透過したランプ光の輝度が測定される（Ｓ１）。次に、判定回路により、この測定結果と必要とされる輝度とが比較され、適切であると判断された場合には、このフローを終了する。この場合には、後のパターンカットステーション５３および後テストステーション５４での作業工程は、キャンセルされる。
【００５０】
一方、測定結果の輝度が不適切と判断されると、入力をｎ＝６のパターンに設定信号を変更し（Ｓ２）、上記と同様の輝度測定を行う（Ｓ３）。この輝度測定でも、測定結果の輝度が適切が否かが判別され、不適切な場合には、適切と判断されるまで、ｎ＝５、４、３、２、１、０の順で、設定信号を変更し（Ｓ４）、且つその都度する輝度測定を行う。そして、適切と判断されると、データ写込み装置１は、搬送路５１上を前テストステーション５２からパターンカットステーション５３に搬送される。一方、制御ボックス６３内では、適切と判断された設定信号を得るために、アナログスイッチＬＲ１、ＬＲ２、ＬＲ３のいずれをカットすべきかが、演算処理され、この処理結果の制御信号がランプテスト装置５７からパターンカット装置５９に出力される。なお、ｎ＝０でも適切な輝度を得られない場合には、これを不良品として処理する。
【００５１】
データ写込み装置１がパターンカットステーション５３に搬送されてくると、上記の制御信号に基づいて、パターンカット装置５９が駆動し、適宜アナログスイッチＬＲ１、ＬＲ２、ＬＲ３をカットする（Ｓ５）。パターンカットが終了すると、データ写込み装置１がパターンカットステーション５３から後テストステーション５４に搬送される。ここで、ＴＭ「０」を入力し、カット後のアナログスイッチＬＲ１、ＬＲ２、ＬＲ３の設定信号に基づいて、ランプ５を点灯させ、且つ確認のための輝度測定を行う（Ｓ６）。そして、この輝度測定の結果、適切な輝度を得られれば、これを良品としてフローを終了し、適切な輝度を得られない場合には、これを不良品として処理する。
【００５２】
以上のように、アナログスイッチＬＲ１、ＬＲ２、ＬＲ３を切断設定する前に、印加電圧を変えながらランプ５の輝度をテストするようにしているため、アナログスイッチＬＲ１、ＬＲ２、ＬＲ３の切断設定を誤りなく、簡単に行うことができる。また、アナログスイッチＬＲ１、ＬＲ２、ＬＲ３を切断設定した後に、ランプ５の輝度測定を行うようにしているため、ランプ５の不良に基づくデータ写込み装置１の不良を確実に排除することができる。
【００５３】
ここで、上記の効果について数値を挙げて具体的に説明する。ランプ単体では、それが良品であるか不良品であるかを、測定した全光束の数値に基づいて判断（選別）する。例えば、実施形態のものでは、全光束が０．０４ＭＳＣＰ±２５％の範囲のものが良品、すなわち製品となる。ところが、同じランプでも、データ写込み装置では、ランプ前方における特定の範囲に照射される光（単位面積当たりの光）、すなわち照度が問題となる。また、全光束が同等のランプであっても、照度の値はフィラメント取付位置のずれ等により異なるため、必要とする照度は、安全をみて１６５ｌｘ±４５％に広げる必要がある。このことは、ランプメーカー側からすると２５％の範囲でばらつきがあるとされるランプが、データ写込み装置のメーカー側からすると、ランプ単体の段階で、４５％の範囲でばらつきがあると判断せざるを得ないことになる。
【００５４】
一方、データ写込み装置に組み込まれたランプは、フィルムにデータを写し込む手段に他ならず、フィルムの感度との関係で、フィルム面における輝度のみが問題となる。この例で必要とされる輝度は２４±６３％の範囲で規定されている。ところで、ランプがデータ写込み装置に組み込まれた状態では、ランプ以外のばらつき要因として、例えば写込みパネル（ＬＣＤ）透過率、ランプ実装位置、反射鏡（ミラー）反射率、基準電源電圧等があり、これらは測定の結果３２．５％のばらつき要因となっている。したがって、６３−３２．５＝３０．５％がこの場合のランプ自体に許されるばらつきとなる。
【００５５】
結局、単純計算で１／３のランプが、良品として出荷したにも拘らず、使用することができないものとなる。すなわち、１／３のランプが、ランプ単体では良品であるにも拘らず、不良品扱いとして捨られることになる。このことは、コストアップに要因となるばかりでなく、省資源化にも反することになる。
【００５６】
これに対し、本実施形態のように、ランプへの印加電圧を８段階で調整可能とすれば、出荷後にランプが何らかの損傷を受けた場合を除き、全てのランプが使用可能となる。したがって、データ写込み装置のコストダウンを達成することができると同時、省資源化にも寄与することになる。
【００５７】
なお、アナログスイッチの数や印加電圧の可変数、可変値は、上記実施形態に限定されるものではない。
【００５８】
【発明の効果】
以上のように、本発明のカメラのデータ写込み装置によれば、ランプへの印加電圧を一定にするランプ用定電圧手段と、液晶表示体への印加電圧を一定にする液晶用定電圧手段とを備えているため、ランプおよび液晶表示体の印加電圧を個々に設定することができると共に、電池の電圧降下などにかかわらず、これらに安定した電圧を印加することができる。このため、液晶表示体のマスク性能を良好なものとすることができると共に、ランプの選択範囲を広くすることができ、フィルムへの良好な写込みが可能になると共に、ランプの歩留まりを向上させることができる。
【図面の簡単な説明】
【図１】本発明の実施形態に係るデータ写込み装置の外観図（正面図、側面図、背面図）である。
【図２】図１（ｃ）のＡ−Ａ線拡大断面図である。
【図３】図１（ｃ）のＢ−Ｂ線拡大断面図である。
【図４】回路基板に組み込まれた制御回路のブロック図である。
【図５】本発明の他の実施形態に係るデータ写込み装置の正面図である。
【図６】他の実施形態に係るデータ写込み装置の部分拡大正面図である。
【図７】ランプ基準電源を構成するデジタル回路の回路図である。
【図８】設定信号とランプの電圧設定値との関係を表した図である。
【図９】データ写込み装置の組立製造ラインの一部を表した概略図である。
【図１０】ランプテスト装置の斜視図である。
【図１１】ランプのテスト方法を示すフロー図である。
【符号の説明】
１  データ写込み装置
３  写込み用ＬＣＤ
４  モニタ用ＬＣＤ
５  ランプ
６  回路基板
１７  時計調整端子
１８  電圧調整端子
２１  電池
２２  制御回路
２３  ランプ用定電圧回路
２４  写込み用定電圧回路
２５  時計回路
３２  テスト用端子
５５  トレイ
５７  ランプテスト装置
５９  パターンカット装置
６１  テストプローブ
６２  ＣＣＤカメラ
６３  制御ボックス
Ｆ  フィルム
【図１】
0003591322.tif 000002
【図２】
0003591322.tif 000003
【図３】
0003591322.tif 000004
【図４】
0003591322.tif 000005
【図５】
0003591322.tif 000006
【図６】
0003591322.tif 000007
【図７】
0003591322.tif 000008
【図８】
0003591322.tif 000009
【図９】
0003591322.tif 000010
【図１０】
0003591322.tif 000011
【図１１】
0003591322.tif 000012